(57)【要約】【課題】ナビゲーション情報が無いもしくは不足していると判断される状態において、ディジタル放送に畳重される情報を受信することで、より精度の高い交通情報を使用者に提供できるナビゲーションシステムを実現することを目的とする。【解決手段】少なくとも、ナビゲーション情報が無いもしくは不足していると判断される状態において、ディジタル放送などの放送信号を受信し、放送信号に畳重される情報データを抽出し、出力するナビゲーションシステムである。【選択図】図１
2006038665.tif 000002
【特許請求の範囲】
【請求項１】
少なくとも、ナビゲーション情報が無いもしくは不足していると判断される状態において、ディジタル放送などの放送信号を受信し、放送信号に畳重される情報データを抽出し、出力するナビゲーションシステム。
【請求項２】
前記情報データが、交通情報、気象情報、地域行事予定、及び行楽情報の中から選ばれる少なくとも一つの情報データである請求項１に記載のナビゲーションシステム。
【請求項３】
前記出力が、文字情報、映像情報、音声情報の中から選ばれる少なくとも一つの形態で行われるものである請求項１に記載のナビゲーションシステム。
【発明の詳細な説明】
【技術分野】
【０００１】
本発明は、テレビジョン放送信号に載せられる、交通渋滞、気象、地域行事等の情報データの処理及び情報を出力するナビゲーションシステムに関するものである。
【背景技術】
【０００２】
車などで使用されるナビゲーションシステムにおいては、交通渋滞の予測情報や渋滞回避用のルート設定の情報として、交通や気象情報などの即時性情報や過去の時系列情報が用いられている。また気象情報は、気象条件により交通渋滞が起きる可能性がある地域に向けての予測に活用されている（例えば、特許文献１および特許文献２参照）。
【特許文献１】特開平７−２８０３２７号公報
【特許文献２】特開平１０−２２１７８７号公報
【発明の開示】
【発明が解決しようとする課題】
【０００３】
ナビゲーションシステムにおいて、ナビゲーション情報としての気象情報や交通情報は、ナビゲーションの受信機により受信された即時性データであるＶＩＣＳやビーコンの受信データを元データとして活用しているが、受信機の電源をオンした直後は、有効なデータの蓄積がなされておらず、有効なデータを受信するまでは、使用者に対して交通渋滞の予測情報や渋滞回避用のルート設定の情報を提供することができなかった。
【０００４】
また、テレビジョンで受信する情報とはまったく区別して活用していたため、ディジタル放送などに畳重されている、例えば行楽などの季節行事や年間行事情報と、交通情報との間に相関を持たせて使用者に知らせることができていなかった。その結果、使用者は、事前に情報を認識することなく出かけてしまい、実際にその場に居合わせる事で漸く交通状況を含めた周辺状況を知り得るという場合が多々あった。
【０００５】
また、ディジタル放送に畳重される地域経済情報であるスーパーなどの商業施設のオープン情報や年により日程が変わる祭り開催の情報などは、一時的な情報ではあるが突発的ものではなく計画的な情報として入手でき、且つ非常に有用なものである。しかしながら、その情報をナビゲーションの使用者に提供することは十分にはなされていないというのが現状である。
【０００６】
本発明は以上の状況に鑑みてなされたものであり、ナビゲーション情報が無いもしくは不足していると判断される状態において、ディジタル放送に畳重される情報を受信し、これを情報データとして利用することで、より精度の高いナビゲーション情報を使用者に提供できるナビゲーションシステムを実現することを目的とする。
【課題を解決するための手段】
【０００７】
上記課題を解決するために本発明のナビゲーションシステムは、少なくとも、ナビゲーション情報が無いもしくは不足していると判断される状態において、ディジタル放送などの放送信号を受信し、放送信号に畳重される情報データを抽出し、出力するものである。
【発明の効果】
【０００８】
本発明により、ナビゲーション情報が無いもしくは不足していると判断される状態において、ディジタル放送に畳重される情報を受信し、これを情報データとして利用することで、より精度の高いナビゲーション情報を使用者に提供できるナビゲーションシステムを実現することができる。
【発明を実施するための最良の形態】
【０００９】
すなわち、本発明の請求項１に記載の発明は、少なくとも、ナビゲーション情報が無いもしくは不足していると判断される状態において、ディジタル放送などの放送信号を受信し、放送信号に畳重される情報データを抽出し、出力するナビゲーションシステムである。
【００１０】
また、請求項２に記載の発明は、請求項１に記載の発明において、前記情報データが、交通情報、気象情報、地域行事予定、及び行楽情報の中から選ばれる少なくとも一つの情報データであるというものである。
【００１１】
また、請求項３に記載の発明は、請求項１に記載の発明において、前記出力が、文字情報、映像情報、音声情報の中から選ばれる少なくとも一つの形態で行われるというものである。
【００１２】
以下、本発明のナビゲーションシステムについて図を参照しながら説明する。
【００１３】
図１は本発明の一実施の形態によるナビゲーションシステムの概略構成を示すブロック図である。アンテナ部１より入力した信号は、チューナ部２において、畳重データ分離部３により畳重された情報データが抽出される。抽出された情報データは種別判断部４において、その属性に従い、即時性情報、年間行事性情報、一時的計画性情報に区別され、それぞれ、即時性情報格納メモリ５、年間行事性情報格納メモリ部６、一時的計画性情報格納メモリ７に格納される。
【００１４】
また、状態検出部８はナビゲーションシステムとしての状態が、例えば、起動中であるのか情報を十分もっているか等を検出するものであり、日付・時間情報管理部９により得られた現在日時や時間の条件により、年間行事性情報格納メモリ６又は一時的計画性情報格納メモリ７から適切な交通情報や地域情報などの情報データを確定処理部１０により抽出する。
【００１５】
抽出された情報データは、交通・行事情報生成・出力部１１において、使用者に対して分かりやすい情報として提供するために情報データを文字・映像化され、出力される。
【００１６】
この出力された情報データは、ナビゲーションシステムにおけるテレビジョン本来の映像生成部１２と出力部１３において合成され、表示部１４に出力される。
【００１７】
次に、畳重した情報データからその属性に従い、各格納メモリに格納する処理を図２に示すフローチャートを用いて説明する。まず、受信した情報データの判別を、入力信号に畳重されているデータの属性を得ることにより行う。ここで、即時性情報としては気象・交通情報等、年間行事性情報としては季節行事等、また一時的計画性情報としては、一時的だが日程予定が決まっており交通情報に影響を与える様な、学校や商業地域における催し日程などとして区別する。これらは、属性情報が即時性データであるかの判別（ＳＴＥＰ２−１）を行い、ＹＥＳであるなら即時性情報格納メモリ５へ格納する。ＮＯであるなら、属性情報が年間行事性情報であるかの判別（ＳＴＥＰ２−２）を行い、ＹＥＳなら年間行事性情報格納メモリ６へ格納する。ＮＯであるなら、属性情報が一時的計画性情報であるかの判別（ＳＴＥＰ２−３）を行い、ＹＥＳなら一時的計画性情報格納メモリ７へ格納する。また格納の際には、属性情報および日付・時間・期間情報により各対応するメモリの格納状態を管理するインデックス情報の作成を行う。
【００１８】
次に格納情報の出力及び確定方法を図３に示すフローチャートを用いて説明する。本発明のナビゲーションシステムは、日付・時間情報管理部９から日時情報を取得する（ＳＴＥＰ３−１）。また、状態検出部８からはナビゲーションシステムの状態を取得する（ＳＴＥＰ３−２）。また、確定処理部１０では、電源オンから規定時間内の新規ディジタル放送畳重情報が取得しにくい状態や接続機器が準備状態（十分な情報を持っていない状態等）と判別した場合（ＳＴＥＰ３−３）は、年間行事性情報格納メモリからインデックス情報を取得し（ＳＴＥＰ３−４）、現在日時情報とインデックスデータで条件の合致する情報を判別・確定し（ＳＴＥＰ３−５）、年間行事性情報格納メモリ６から行事・交通情報のデータを取得する（ＳＴＥＰ３−６）。
【００１９】
また、即時性データを一定時間取得できないか、一時的計画性データを新規取得した場合（ＳＴＥＰ３−７）は、一時的計画性情報格納メモリ７からインデックス情報を取得し（ＳＴＥＰ３−８）、現在日時情報とインデックスデータで条件の合致する情報を判別・確定し（ＳＴＥＰ３−９）、一時的計画性情報格納メモリ７より行事・交通情報のデータを取得する（ＳＴＥＰ３−１０）。
【００２０】
上記データを取得出来た場合または即時性データを取得した場合（ＳＴＥＰ３−１１）は、取得した交通・行事情報データは、交通・行事情報生成・出力部１１により文字・映像情報を作成し（ＳＴＥＰ３−１２）、テレビジョン映像信号へ加算処理（ＳＴＥＰ３−１３）をして使用者へ情報を提供することができる。
【００２１】
本発明のナビゲーションシステムは、これら一連の処理を、繰り返し動作をする事で情報の更新及び日時の経過による新規情報出力が行え、使用者に対して新しい情報や日時に関連のある交通・行事情報を提供することができる。
【００２２】
また、表示部１４としても、液晶、プラズマディスプレイパネル、ＥＬなど、各種の表示装置を用いることが可能である。
【産業上の利用可能性】
【００２３】
以上述べたように本発明のナビゲーションシステムによれば、ナビゲーション情報が無いもしくは不足していると判断される状態において、ディジタル放送に畳重される情報を受信し、これを情報データとして利用するので、より精度の高いナビゲーション情報を使用者に提供することができる。
【図面の簡単な説明】
【００２４】
【図１】本発明の一実施の形態によるナビゲーションシステムの概略構成を示すブロック図
【図２】畳重した情報データからその属性に従い、各格納メモリに格納する処理を説明するためのフローチャート
【図３】格納情報の出力及び確定方法を説明するためのフローチャート
【符号の説明】
【００２５】
１  アンテナ部
２  チューナ部
３  畳重データ分離部
４  種別判断部
８  状態検出部
１０  確定処理部
１４  表示部
【図１】
2006038665.tif 000003
【図２】
2006038665.tif 000004
【図３】
2006038665.tif 000005